(57)【要約】【課題】未だ着目されてない新たな機能を付与することで、使用者の身体に好影響を与えることができる新規な浴室設備を提供する。【解決手段】浴室２１内に設置され、湯や水を溜める浴槽２２と、該浴槽２２内に磁界を形成する浴槽用磁界形成手段３０とを備える。また、浴室２１内に設置され、湯や水を溜める浴槽２２と、該浴槽２２内に湯や水を供給する湯水供給手段４０と、該湯水供給手段４０によって供給される湯や水を磁界処理する供給湯水磁界処理手段４１とを備える。さらに、浴室２１内に設置され、湯や水を溜める浴槽２２と、該浴槽２２に溜められた湯や水を循環させる湯水循環手段５０と、該湯水循環手段５０によって循環される湯や水を磁界処理する循環湯水磁界処理手段５１とを備える。【選択図】図１
2005334096.tif 000002
【特許請求の範囲】
【請求項１】
浴室内に設置され、湯や水を溜める浴槽と、
該浴槽内に磁界を形成する浴槽用磁界形成手段と
を備えることを特徴とする浴室設備。
【請求項２】
浴室内に設置され、湯や水を溜める浴槽と、
該浴槽内に湯や水を供給する湯水供給手段と、
該湯水供給手段によって供給される湯や水を磁界処理する供給湯水磁界処理手段と
を備えることを特徴とする浴室設備。
【請求項３】
浴室内に設置され、湯や水を溜める浴槽と、
該浴槽に溜められた湯や水を循環させる湯水循環手段と、
該湯水循環手段によって循環される湯や水を磁界処理する循環湯水磁界処理手段と
を備えることを特徴とする浴室設備。
【発明の詳細な説明】
【技術分野】
【０００１】
本発明は、浴室設備に関するものであり、詳しくは、浴室内に設置され、湯や水を溜める浴槽を備える浴室設備に関するものである。
【背景技術】
【０００２】
一般的な浴室設備は、浴室に設置され、湯や水（以下「湯水」という）を溜める浴槽を備えている。そして、浴室設備の使用者は、浴室で身体を洗浄するに際して、浴槽に溜められた湯水に身体を浸している。ここで、使用者は、冬場等においては、浴槽に溜められた湯に身体を浸すことで、冷えた身体を温めており、夏場等においては、浴槽に溜められたぬるま湯や水に身体を浸すことで、火照った身体を冷ましている。このように、浴室の使用者は、身体を洗浄する際に浴槽の湯水に身体を浸すことで、冷えた身体を温めて血行を良くしたり、火照った身体を冷まして身を引き締めることができ、疲れた身体を癒すことができる。なお、身体の洗浄のためでなく、疲れた身体を癒すための専用の浴槽もあり、このような浴槽は、「ジャグジー」と称されている。
【０００３】
また、浴槽の湯水に身体を浸すことで、皮膚から水分を吸収し、皮膚の細胞を活性化させ、これにより健康を促進させることができる。さらに、身体を洗浄する際に、浴槽の湯水に身体を浸すことで、身体に付いた垢や埃等の汚れをふやかし、身体に付いた汚れを落とし易くすることもできる。
【０００４】
上記背景技術は、一般的になされている事項であり、本願出願人は、出願時において、この背景技術を特定するような記載がなされた文献を特に知見していない。
【発明の開示】
【発明が解決しようとする課題】
【０００５】
しかしながら、従来の浴室設備は、浴槽に単に溜められた湯水に身体を浸けることで、疲れた身体を癒したり、健康を促進させたり、或いは、身体に付いた汚れを落ち易くしたりすることができるだけのものであり、使用者の身体に好影響を与えるには十分なものではなかった。
【０００６】
本発明は、上記実状を鑑みてなされたものであり、未だ着目されてない新たな機能を付与することで、使用者の身体に好影響を与えることができる新規な浴室設備の提供を課題とするものである。
【課題を解決するための手段】
【０００７】
上述した課題を解決するために本発明の採った手段は、
「浴室内に設置され、湯や水を溜める浴槽と、
該浴槽内に磁界を形成する浴槽用磁界形成手段と
を備えることを特徴とする浴室設備」
である。
【０００８】
上記構成の浴室設備では、浴槽用磁界形成手段によって浴槽内に磁界が形成される。ここで、磁界によって血行を良くしたり、細胞を活性化させることは知られている。よって、使用者が浴槽の湯水に身体を浸すことで、浴槽内の湯水の作用ばかりでなく、加えて、浴槽内に形成された磁界の作用によって、健康がより一層促進される。従って、上記構成の浴室設備によれば、「浴槽内の環境を、磁界によって、健康をより一層促進させる環境に改善する」といった新たな機能を付与することができ、使用者の身体に好影響を与えることができる。
【０００９】
また、磁界によって水の粒子（分子の集合体）が微細化されることも知られている。例えば、通常の水の粒子は、１５個程度の分子の集合体であるが、１２５ｍＴ（ミリテスラ）（１２５０Ｇｓ（ガウス））の磁界を通して磁界処理することで、５個程度の分子の集合体に微細化される。このため、浴槽内に磁界を形成すると、当然、浴槽に溜められた湯水の粒子は微細化される。そして、このように粒子が微細化された湯水は、皮膚の細胞に吸収され易いものであり、粒子が微細化された湯水によれば、細胞を良好に活性化させることができる。従って、上記構成の浴室設備によれば、「浴槽内に溜められた湯水の粒子を、細胞を良好に活性化させることができるよう微細化する」といった新たな機能を付与することができ、この点からも、使用者の身体に好影響を与えることができる。
【００１０】
また、粒子が微細化された湯水は、身体に付いた垢や埃等の汚れにも吸収され易いものである。よって、粒子が微細化された湯水によれば、身体に付いた汚れを良好にふやかして、落ち易くすることができる。従って、上記構成の浴室設備によれば、「浴槽内に溜められた湯水の粒子を、身体に付いた汚れが落ち易くすることができるように微細化する」といった新たな機能を付与することができ、この点からも、使用者の身体に好影響を与えることができる。
【００１１】
さらに、磁界によって雑菌を減菌或いは滅菌できることも知られている（例えば、特開平１−２５７４７３号公報）。このため、浴槽内に磁界を形成することで、浴槽に溜められた湯水中の雑菌を減菌化或いは滅菌化することもできる。そして、雑菌が減菌化或いは滅菌化された湯水を用いることで、使用者の健康は良好に維持される。従って、上記構成の浴室設備によれば、「浴槽内に溜められた湯水中の雑菌を減菌化或いは滅菌化する」といった新たな機能を付与することができ、この点からも、使用者の身体に好影響を与えることができる。
【００１２】
また、
「浴室内に設置され、湯や水を溜める浴槽と、
該浴槽内に湯や水を供給する湯水供給手段と、
該湯水供給手段によって供給される湯や水を磁界処理する供給湯水磁界処理手段と
を備えることを特徴とする浴室設備」
である。
【００１３】
ここで、給湯器や湯水混合水栓等によって予め温度調節された湯が浴槽に供給される場合には、水道から給湯器や湯水混合水栓等を介して浴槽に供給される湯を、供給湯水磁界処理手段によって磁界処理すればよい。一方、水道からそのままの温度の水が浴槽に供給されて溜められ、溜められた水を、風呂釜や給湯器等の湯沸し器によって温める場合には、水道から浴槽に供給される水を、供給湯水磁界処理手段によって磁界処理すればよい。
【００１４】
上記構成の浴室設備では、浴槽に供給される湯水が供給湯水磁界処理手段によって磁界処理される。ここで、磁界により湯水の粒子を微細化したり、湯水中の雑菌を減菌化或いは滅菌化することができることは、上述の通りである。そして、粒子が微細化された湯水によれば、細胞を活性化させることができ、また、身体に付いた汚れを落ち易くすることができることも上述の通りである。さらに、雑菌が減菌化或いは滅菌化された湯水によれば、使用者の健康を良好に維持できることも、上述の通りである。従って、上記構成の浴室設備によれば、「浴槽に供給される湯水について、磁界により水の粒子を微細化したり、雑菌を減菌化或いは滅菌化する」といった新たな機能を付与することができ、これにより、上述と同様に、使用者の身体に好影響を与えることができる。
【００１５】
また、
「浴室内に設置され、湯や水を溜める浴槽と、
該浴槽に溜められた湯や水を循環させる湯水循環手段と、
該湯水循環手段によって循環される湯や水を磁界処理する循環湯水磁界処理手段と
を備えることを特徴とする浴室設備」
である。
【００１６】
ここで、浴槽内の湯水を循環させる風呂釜や給湯器等の湯沸し器が設けられた浴槽では、湯水循環手段を、この湯沸し器を用いて構成してもよく、或いは、湯沸し器とは別途のものとしてもよい。
【００１７】
上記構成の浴室設備では、浴槽に溜められ、湯水循環手段によって循環される湯水が、循環湯水磁界処理手段によって磁界処理される。ここで、磁界により湯水の粒子を微細化したり、湯水中の雑菌を減菌化或いは滅菌化することができることは、上述の通りである。そして、粒子が微細化された湯水によれば、細胞を活性化させることができ、また、身体に付いた汚れを落ち易くすることができることも上述の通りである。さらに、雑菌が減菌化或いは滅菌化された湯水によれば、使用者の健康を良好に維持できることも、上述の通りである。従って、上記構成の浴室設備によれば、「浴槽に溜められた湯水について、磁界により水の粒子を微細化したり、雑菌を減菌化或いは滅菌化する」といった新たな機能を付与することができ、これにより、上述と同様に、使用者の身体に好影響を与えることができる。
【発明の効果】
【００１８】
上述した通り、本発明に係る浴室設備によれば、未だ着目されてない新たな機能を付与することで、使用者の身体に好影響を与えることができる。
【発明を実施するための最良の形態】
【００１９】
以下、本発明の一実施形態である浴室設備について、図面に基づいて詳細に説明する。
【００２０】
図１及び図２に示すように、浴室設備１０は、床材、壁材、天井材等の浴室構造材や、ユニットバス等により構成された構造体２０を備えており、この構造体２０の内部空間によって、浴室２１が形成されている。そして、浴室２１には、湯水を溜める浴槽２２が設置されている。
【００２１】
また、浴室設備１０は、浴槽２２内に磁界を形成する浴槽用磁界形成手段３０を備えている。ここで、浴槽用磁界形成手段３０としては、浴槽２２全体に巻回された電磁コイルを用いたもの、浴槽２２全体の周囲の適所に設けられた永久磁石を用いたもの等、適宜の構造を採用することができる。また、浴槽用磁界形成手段３０は、浴槽２２に内蔵されたものであってもよく、或いは、浴槽２２の内面や外面に装着されたものであってもよい。
【００２２】
このように浴槽２２内に磁界を形成することで、浴槽２２内の環境を、人の健康を促進させる環境とすることができる。
【００２３】
なお、浴槽用磁界形成手段３０を、電磁コイルを用いて構成する場合、直流電流によって磁界を形成するようにしてもよく、或いは、交流電流によって磁界を形成するようにしてもよい。ここで、交流電流によって磁界を形成することとすると、交流電流の振動数に応じて磁力線の方向が変動する。このため、磁力線の方向の絶え間ない変動によっても、人の健康を促進させることができる。また、磁力線の方向が変動するように電流の方向を切り換える時間間隔を、秒単位、分単位、或いは、時間単位で任意に調節できるようにしてもよい。
【００２４】
また、電磁コイルを鉛直方向の軸線周りに巻回されたものとすれば、磁力線が鉛直方向の磁界を形成することができる。また、電磁コイルを水平方向の軸線周りに巻回されたものとすれば、磁力線が水平方向の磁界を形成することができる。ここで、浴槽用磁界形成手段３０としては、磁力線が鉛直方向の磁界を形成するもの、或いは、磁力線が水平方向の磁界を形成するもののうち、一方であってもよいが、双方を兼ね備えたものであってもよい。磁力線が鉛直方向の磁界を形成する電磁コイルと、磁力線が水平方向の磁界を形成する電磁コイルとを併用する態様では、夫々の電磁コイルの通電量を個別に調節できるようにすることが好適である。磁力線方向及び磁力が異なる磁界を合成することで、多様な磁界形態を実現することができるからである。
【００２５】
ところで、浴槽設備１０は、浴槽２２内に湯水を供給する湯水供給手段４０をも備えている。ここで、水道からの水が直接、浴槽２２に溜められる態様では、湯水供給手段４０が、水道からの配管、及び、この配管内の流路を開閉する給水弁を備えるものとなる。一方、水道の水を給湯器によって加熱して湯とし、この加熱された湯が浴槽２２に溜められたり、給湯器からの湯を湯水混合水栓によって水道の水と混合して温度調節された湯が浴槽２２に溜められる態様では、湯水供給手段４０が、水道や給湯器からの配管、及び、配管内の流路を開閉する給水弁や湯水混合水栓を備えるものとなる。
【００２６】
湯水供給手段４０には、供給される湯水を磁界処理する供給湯水磁界処理手段４１が設けられている。これにより、浴槽２２には、磁界を通した湯水が供給される（図示Ａ参照）。ここで、供給湯水磁界処理手段４１は、供給する湯水を磁界処理できるものであればよく、電磁コイルを用いたもの、永久磁石を用いたもの等、適宜の構造を採用することができる。
【００２７】
なお、供給湯水磁界処理手段４１を、上記給水弁や湯水混合水栓等の弁装置の上流側に設けてもよく、下流側に設けてもよく、或いは、上流側及び下流側の双方に設けてもよい。ここで、上流側に設ける態様では、弁装置に進入する円滑な流れの湯水を磁界処理することができ、湯水を均一に磁界処理することができる。一方、下流側に設ける態様では、弁装置から送出され、大きな乱れを生じて経路が長くなった流れの湯水を磁界処理することができ、湯水を効率よく磁界処理することができる。そして、上流側及び下流側の双方に設ける態様では、当然、上述の利点の夫々を得ることができる。
【００２８】
このように浴槽２２に供給される湯水を磁界処理することで、浴槽２２に、粒子が微細化され、しかも、雑菌が減菌または滅菌された湯水を溜めることができ、人の健康を促進させたり、人の良好な健康を維持させたりすることができる。
【００２９】
さらに、浴室設備１０は、浴槽２２内に溜められた湯水を循環させる湯水循環手段５０をも備えている。ここで、湯水循環手段５０としては、風呂釜や給湯器等、浴槽２２内に溜められた湯水を加熱すると共に循環させる湯沸し器を用いて構成することができる。また、湯沸し器とは別途に、後述する循環湯水磁界処理手段５１によって浴槽２２内の湯水を磁界処理するための専用の循環装置を用いて構成することもできる。
【００３０】
湯水循環手段５０には、循環される湯水を磁界処理する循環湯水磁界処理手段５１が設けられている。これにより、浴槽２２内においては、磁界を通した湯水が循環される（図示Ｂ参照）。ここで、循環湯水磁界処理手段５１は、循環する湯水を磁界処理できるものであればよく、電磁コイルを用いたもの、永久磁石を用いたもの等、適宜の構造を採用することができる。
【００３１】
このように浴槽２２内において、磁界処理された湯水を循環させることによっても、浴槽２２内に溜められた湯水を、粒子が微細化され、しかも、雑菌が減菌または滅菌された湯水とすることができ、人の健康を促進させたり、人の良好な健康を維持させたりすることができる。
【００３２】
なお、浴槽用磁界形成手段３０により形成する磁界の磁力が強過ぎると、人の良好な健康に支障を来たす虞がある。一方、供給湯水磁界処理手段４１や循環湯水磁界処理手段５１により磁界処理する磁力が弱過ぎると、湯水の粒子の微細化や雑菌の減菌化または滅菌化を良好に行うことができなくなる。よって、供給湯水磁界処理手段４１や循環湯水磁界処理手段５１により磁界処理する磁力は、浴槽用磁界形成手段３０により形成する磁界の磁力よりも強いことが好ましい。具体的には、浴槽用磁界形成手段３０の磁力については、１００ｍＴ（ミリテスラ）（１０００Ｇｓ（ガウス））以下、好ましくは５０ｍＴ（ミリテスラ）（５００Ｇｓ（ガウス））以下、より好ましくは１０ｍＴ（ミリテスラ）（１００Ｇｓ（ガウス））以下、さらに好ましくは１ｍＴ（ミリテスラ）（１０Ｇｓ（ガウス））以下とするのがよい。一方、供給湯水磁界処理手段４１や循環湯水磁界処理手段５１の磁力については、１００ｍＴ（ミリテスラ）（１０００Ｇｓ（ガウス））以上、好ましくは２００ｍＴ（ミリテスラ）（２０００Ｇｓ（ガウス））以上、より好ましくは３００ｍＴ（ミリテスラ）（３０００Ｇｓ（ガウス））以上、さらに好ましくは５００ｍＴ（ミリテスラ）（５０００Ｇｓ（ガウス））以上とするのがよい。
【００３３】
以上、本発明に係る生活設備の一例を示したが、本発明に係る生活設備はこれに限らず、本発明の要旨を逸脱しない範囲で、適宜の変更が可能である。例えば、（１）「浴槽用磁界形成手段」、（２）「湯水供給手段及び供給湯水磁界処理手段」、（３）「湯水循環手段及び循環湯水磁界処理手段」の全てを備えたものに限らず、上記（１）〜（３）の各構成のうち、少なくとも一つの構成を備えたものであればよい。また、上記（１）及び（２）を組み合わせたものであってもよく、上記（１）及び（３）を組み合わせたものであってもよく、或いは、上記（２）及び（３）を組合わせたものであってもよい。
【００３４】
さらに、上記（１）〜（３）の少なくとも一つの構成に、さらに加えて、例えば図示するように、浴室２１を構成する構造体２０に浴室用磁界形成手段６０を設けて、浴室２１空間に磁界を形成するようにしてもよい。ここで、浴室用磁界形成手段６０を採用する場合には、この浴室用磁界形成手段６０を、上述したような浴槽用磁界形成手段３０と同様に構成すればよい。
【００３５】
このように、浴室用磁界形成手段６０を設けることで、立ち昇る湯気の粒子を微細化したり、シャワーや掛け湯等によって飛散する湯水の粒子を微細化することができ、また、浴室２１内の環境全体を、磁界作用によって、人に好影響を与える環境とすることができ、上記（１）〜（３）の構成との相乗効果によって、使用者の身体に、さらに好影響を与えることのできる浴室設備１０とすることができる。また、上記（１）〜（３）の構成では、浴槽２２の湯水に浸されない「使用者の頭部」に対して、上述した通りの磁界作用を及ぼすことができないのであるが、浴室用磁界形成手段６０を設けることで、「使用者の頭部」についても磁界作用を及ぼすことができる。
【図面の簡単な説明】
【００３６】
【図１】本発明に係る浴室設備の一例を模式的に示す平面図である。
【図２】図１に示した浴室設備の側面図である。
【符号の説明】
【００３７】
１０  浴室設備
２０  構造体
２１  浴室
２２  浴槽
３０  浴槽用磁界形成手段
４０  湯水供給手段
４１  供給湯水磁界処理手段
５０  湯水循環手段
５１  循環湯水磁界処理手段
６０  浴室用磁界形成手段
【図１】
2005334096.tif 000003
【図２】
2005334096.tif 000004